(57)【要約】本発明は物品の包装に用いられる衝撃吸収材に関する。重畳するプラスチックフィルムを接着することによりエアーバッグが形成される。本発明によれば、空気は繰り返し注入でき、空気圧により空気の漏れを防止でき、生産性が向上する。空気の注入によりふくらみ衝撃吸収力を有する従来の衝撃吸収材の多くは、空気の再注入を行うことはできなかった。そのため、空気が注入される箇所に空気の通路が形成され、エアーバッグに注入される空気の圧力によりバルブフィルムはエアーバッグの一方の面に接着される。
2006526548.tif 000002
【特許請求の範囲】
【請求項１】
その外側ラインが、物品の形状に応じた包装形状を有する重畳する包装フィルムと、
上記包装フィルムの間にはさまれ、その内側に離形帯を有する重畳するバルブフィルムと、
上記包装フィルムの周縁部を接着することにより形成される接着ラインと、
上記離形帯と直交するように複数列の仕切りラインを設けることにより上記接着ラインの内側に形成されたエアーバッグと、
上記バルブフィルムの外側面と上記包装フィルムの内側面とを接着するために、上記離形帯の上側に上記離形帯と同じラインに接着された接着ラインとから成る空気注入式衝撃吸収性包装材。
【請求項２】
所定の間隔で上記離形帯を有するバルブフィルムの他方の面に所定面積の離形面を形成し、上記離形面にガイド接着部を形成することにより、上記包装フィルムの一方の面に上記バルブフィルムを固定したことを特徴とする請求項１記載の空気注入式衝撃吸収性包装材。
【請求項３】
上記仕切りラインを形成するべき正確な位置を確認するために上記離形帯に確認ラインを形成したことを特徴とする請求項１記載の空気注入式衝撃吸収性包装材。
【請求項４】
上記仕切りラインが形成された上記離形帯の下段にガイド接着ラインを、湾曲させて形成したことを特徴とする請求項１記載の空気注入式衝撃吸収性包装材。
【請求項５】
上記ガイド接着ラインを、上記離形面がない位置に設け、上記包装フィルムと上記バルブフィルムとを同時に接着することを特徴とする請求項４記載の空気注入式衝撃吸収性包装材。
【請求項６】
上記ガイド接着部の下段に分配接着ラインを形成し、空気が均等に配分されるようにしたことを特徴とする請求項１記載の空気注入式衝撃吸収性包装材。
【請求項７】
上記離形帯に所定の面積の空気通路を形成することにより、空気の注入によりエアーバッグがふくらみ、空気入り口が閉じた場合でも、空気の再注入を可能にしたことを特徴とする請求項１記載の空気注入式衝撃吸収性包装材。
【請求項８】
上記バルブフィルムの上側に補助バルブフィルムを設けたことを特徴とする請求項１記載の空気注入式衝撃吸収性包装材。
【請求項９】
バルブフィルムの一方の側に離形帯を、他方の側に離形面を形成し、上記バルブフィルムを重畳し、包装フィルムの間に上記バルブフィルムを配し、接着ラインと、仕切りラインと、接合ラインと、空気をエアーバッグにスムースに注入し空気の逆流を防ぐためのガイド接着ラインと、ガイド接着部と、分配接着ラインとを、一回の接着工程で同時に形成し，上記バルブフィルムを上記包装フィルムの一方の面に固定する工程から成る空気注入式衝撃吸収性包装材の製法。
【請求項１０】
上記バルブフィルムの上記離形帯を設ける際、離形帯に直交するように確認ラインを形成することを特徴とする請求項９記載の空気注入式衝撃吸収性包装材の製法。
【発明の詳細な説明】
【技術分野】
【０００１】
本発明は物品を包装するための衝撃吸収性包装材に関し、より具体的には、空気注入により膨張するプラスチックフィルムを用い、エアーバッグの一つが破裂しても連続した空気の漏れが生じず、容易に空気の再注入が可能で、空気の漏れを防げる物品包装用の衝撃吸収性包装材に関する。
【背景技術】
【０００２】
図９に示すように、物品を包装するために空気を注入してエアーバッグをふくらませる際、衝撃吸収性を生じるために、プラスチック製の包装フィルム１００を縦方向あるいは横方向に仕切り、接着してエアーバッグ（空気室）２００を形成し、エアーバッグ２００にとりつけたバルブ３００で空気を注入してエアーバッグ２００を膨らませる方法を従来は用いていた。
【０００３】
しかし、この方法は、バルブの取り付けが容易でなく、何回も接着するためプラスチックフィルムのロスを生じ、注入された空気の漏れを生じる問題があった。
【０００４】
そのため、プラスチックフィルムの内側にバルブフィルムを重ねて入れ、接着により仕切ラインを形成してエアーバッグを形成する場合、バルブフィルムの所定の部分に離形層を形成し、離形層を形成する部分は対向するプラスチックフィルムに接着せず、プラスチックフィルムの内側面とバルブフィルムの外側面のみを接着し、バルブフィルムの離形層を介して同時に空気を注入できる包装材が提案されている。
【０００５】
しかし、この包装材には、一つのエアーバッグが破裂した場合、すべてのエアーが漏れてしまう問題があった。
【発明の開示】
【発明が解決しようとする課題】
【０００６】
そのため、本発明は上記の問題を考慮してなされ、本発明の目的は、バルブフィルムの一方の面を包装フィルムの一方の面に接着し、エアーバッグに空気を入れてエアーバッグを膨らました場合、バルブフィルムが互いに押し付けあって、バルブフィルムの表面張力の増加によりバルブを介しての空気の漏れを防止できる衝撃吸収性包装材を提供することである。
【課題を解決するための手段】
【０００７】
バルブフィルムに形成された離形帯による空気の通路を通じて連続して破裂が生じる問題を解決するためには、接着ラインを形成するため離形帯を形成したバルブフィルムの上側に包装フィルムを接着して接着ラインを形成し、空気を注入すると、エアーバッグが膨らんで空気の入り口をブロックし、空気の漏れを防止し、連続して破裂が起こるのを防止する。接着と空気の注入によりエアーバッグが膨らむと、接着ラインが上がり、空気の通路が形成されるため、空気の再注入が可能となる。
【０００８】
さらに、一方の側のエアーバッグが破裂した場合、他方の側のエアーバッグの圧力が上がるのを防ぐためには、上側と下側の一方あるいは両方に補助バルブフィルムを重ね、接着する。
【発明の効果】
【０００９】
本発明は、物品を包装するのに用いる衝撃吸収材に関し、重ねたプラスチックフィルムを接着することによりエアーバッグを形成する。本発明によれば、空気は繰り返し注入でき、注入された空気の圧力により空気の漏れが防止され、それにより生産性を改善することができる。
【発明を実施するための最良の形態】
【００１０】
本発明の上記およびそのほかの目的、特徴ならびに利点は、添付の図面を参照しながら以下の詳細な説明を読むことにより明らかとなる。
【００１１】
本発明の好ましい実施例について以下に詳細に説明する。図面を説明する際、従来技術の要素と同じかあるいはそれに対応する要素についても別の参照番号を用いている。
【００１２】
図１に示すように、本発明によれば、内側に離形帯１１を有するバルブフィルム１０および１０ａを、外側のラインを物品の形状に合わせた包装形状を呈する包装フィルム２０および２０ａの間に配置した後、包装フィルム２０および２０ａの外側部分を接着して接着ライン５０を形成する。接着ライン５０の内側に複数列の仕切りライン５１を形成し、エアーバッグ（空気室）３０を形成する。図５に示すように、接着されていない離形帯１１によりエアーバッグ３０に空気入り口３１が形成される。離形帯１１の上側に離形帯１１と同じラインに接着ライン５２を形成することにより、バルブフィルム１０および１０ａの外面と包装フィルム２０の内面が接着される。
【００１３】
図２に示すように、バルブフィルム１０の一方の面に連続した離形帯１１が形成され、その他方の面に所定の面積を有する離形面１２が所定の間隔で設けられ、また離形帯１１がバルブフィルム１０ａの内側に位置した後、他方のバルブフィルム１０ａが配置される。そのため、重畳する二枚のバルブフィルムを接着した場合、空気の通路４０が形成される。
【００１４】
さらに、離形面１２はバルブフィルムを包装フィルムの一方の面にのみ固定するために設けられているため、二枚のバルブフィルムの一方に限らず、固定する方向に応じて一方の側のバルブフィルムに離形帯１１を形成し、他方の側のバルブフィルムに離形面１２を形成してもよい。
【００１５】
さらに、エアーバッグ３０を形成するための仕切りライン５１を形成すべき正確な位置を確認するための確認ライン１１ａが離形帯１１に形成されているため、仕切りライン５１を形成する際、離形面１２との正確な位置関係を確認することができる。
【００１６】
この状態で、図３に示すように、バルブフィルム１０および１０ａを包装フィルム２０および２０ａの間に入れた後、一度の作業で接着ライン５０、エアーバッグを形成するための仕切りライン５１、破裂が連続して起こるのを防ぐための接着ライン５２、および空気をエアーバッグ３０にスムースに注入し、注入した状態で逆流するのを防ぐためのガイド接着ライン１３、ガイド接着部１４、分配接着ライン１５が形成される。
【００１７】
図４および図５に示すように、空気がエアーバッグ３０に注入され、膨らんだ場合、空気入り口３１をしっかりブロックするガイド接着ライン１３が離形帯１１の下段に形成されている。離形帯１１には、空気を容易に注入でき、内側への逆流を防ぐために仕切りライン５１が形成されている。
【００１８】
さらに、ガイド接着ライン１３は流れ抵抗をなくすためにカーブして形成されている。ガイド接着ライン１３は、離形面１２がなく、包装フィルム２０および２０ａとバルブフィルム１０，１０ａが接着されている部分に設けられているため、空気の注入によりエアーバッグ３０が膨らむと、空気入り口３１がしっかり閉じる。
【００１９】
さらに、ガイド接着ライン１３の下段に形成されたガイド接着部１４と分配接着ライン１５は、離形面１２上にあるので、バルブフィルム１０ａの一方の面だけが包装フィルム２０ａの一面に接着され、バルブフィルム１０および１０ａが包装フィルム２０ａの一方の面にしっかり固定される。
【００２０】
空気をバルブフィルム１０，１０ａの間から注入しエアーバッグ３０に空気を入れると、注入後はバルブフィルム１０，１０ａの一方の面にのみ空気圧がかかるため、バルブフィルム１０，１０ａははなれず、そこから空気が漏れることはない。このため、バルブフィルム１０，１０ａが広がることなく、さらに、空気が漏れる可能性もなくなる。
【００２１】
さらに、エアーバッグ３０に空気を入れると、エアーバッグ３０がそれぞれ膨張して空気入り口３１がブロックされ、離形帯１１を介して注入される空気がそれ以上注入されることがないので、すべてのエアーバッグ３０が同じ圧力になる。空気による膨張のため、包装フィルム２０，２０ａの内側とバルブフィルム１０，１０ａの外側が、接着ライン５２により互いに接着されるため、エアーバッグ３０の膨張により空気の入り口３１が閉鎖される。
【００２２】
さらに、バルブフィルム１０，１０ａと包装フィルム２０，２０ａをしっかり押し付けるために、ガイド接着部１４と複数個の分配接着ライン１５を形成し、空気がスムースに注入された後、バルブフィルム１０，１０ａが広がるのを防止する。
【００２３】
そのため、空気が注入されると、空気は離形帯１１を介して注入される。空気がエアーバッグ３０に注入されると、離形帯１１の上側に形成された接着ライン５２によりエアーバッグ３０の空気入り口３１の前端に空気の通路４０が形成される。注入がほぼ完了すると、図５に示すように、空気の入り口３１が閉じ、それ以上空気は注入されない。
【００２４】
さらに、図５に示すように、空気が注入された状態では、エアーバッグ３０がふくらみ、バルブフィルム１０，１０ａの一方の面が包装フィルム２０ａの内面に接着されるので、エアーバッグ３０の空気圧によりバルブフィルム１０，１０ａは、包装フィルム２０ａの内側によりぴったり密着され、それによりバルブフィルム１０，１０ａが広がるのが防止され、空気の漏れが防止される。
【００２５】
さらに、エアーバッグ３０から空気通路４０を介して空気がある程度漏れた場合でも、空気通路４０から空気を再充填することができる。
【００２６】
本発明は、厚みが２００μｍのプラスチックフィルムを用いたが、その目的に応じて各種プラスチックシートやビニールペーパーを代わりに用いても良い。
【００２７】
さらに、本発明による衝撃吸収性包装材は、一回の接着工程で製造できるので、生産性が上がり、接着を繰り返すことにより生ずるフィルムの変形を防ぐことができる。
【００２８】
このため、バルブフィルム１０の片面あるいは両面に離形帯１１と離形面１２を形成し、別のバルブフィルム１０ａを重ね、包装フィルム２０，２０ａの間に重畳されたバルブフィルム１０，１０ａを入れることにより行われる。
【００２９】
接着は熱を加えて行われるが、高周波などの機械的方法を用いても良い。
【００３０】
さらに、フィルムは熱を用いて接着されるので、エアーバッグが圧力の強さによって伸びるのをふせぐためには、優れた引っ張り力を有するナイロンフィルムの内側面にＰＥフィルムを組み合わせて用いても良い。バルブフィルムはＰＥフィルムに形成し、同じ材料が熱によって接着することを利用したのである。
【００３１】
しかし、別の方法の場合、接着方法に応じて、種々の素材のフィルムを用いても良い。
【００３２】
さらに、エアーバッグ３０を接着ライン５２によりふくらました場合、たとえ一つのエアーバッグが破裂しても、空気入り口３１はブロックされ、連続的に空気が漏れるのが防止される。しかし、一つのエアーバッグ３０が破裂した場合、対応するエアーバッグ３０の空気入り口３１の圧力が増すので、補助バルブフィルム６０を重ねて用い、圧力の増加による製品の破損を防ぎ、それにより空気入り口の破裂を防止する。
【００３３】
以上、最も実用的で好ましい実施例と考えられるものについて本発明を説明したが、本発明は開示された実施例や図面に限定されるものではなく、請求の範囲に属する種々の変形も含むものである。
【産業上の利用可能性】
【００３４】
上述のように、バルブフィルムを包装フィルムの一方の側面に接着することにより、空気による膨張でバルブフィルムが広がるのを防止できるので、空気の漏れを効果的に防げる。
【００３５】
さらに、空気の注入によりエアーバッグがふくれた時、離形帯の上側に離形帯と同じラインで形成された接着ラインが空気通路を形成するため、空気の再注入が可能となる。さらに、エアーバッグが膨れた場合、接着ラインが空気入り口をブロックするため、空気の注入によりエアーバッグが破裂した場合でも、連続して破裂がおこるのを防止できる。
【００３６】
さらに、空気の入り口がブロックされるため、対応する空気入り口が破裂しても、圧力の上昇によるエアーバッグの破損が防止される。
【図面の簡単な説明】
【００３７】
【図１】衝撃吸収性包装材の完成状態を示す一部破断斜視図
【図２】バルブフィルムに離形帯と離形面を形成した状態を示す平面図
【図３】接着した状態を示す平面図
【図４】エアーバッグに空気を満たした状態を示す断面図
【図５】空気の通路が形成される状態を示す拡大断面図
【図６】本発明の包装材の外観を示す斜視図
【図７】補助バルブフィルムを重ねた状態を示す概略図
【図８】従来のエアーバッグにバルブを設けた状態を示す断面図
【図９】従来の空気膨張式衝撃吸収性包装材を示す概略図
【図１】
2006526548.tif 000003
【図２】
2006526548.tif 000004
【図３】
2006526548.tif 000005
【図４】
2006526548.tif 000006
【図５】
2006526548.tif 000007
【図６】
2006526548.tif 000008
【図７】
2006526548.tif 000009
【図８】
2006526548.tif 000010
【図９】
2006526548.tif 000011
【国際調査報告】
2006526548.tif 000012